(57)【要約】【課題】複数の変圧器が存在する電気所において、変圧器の運転状態を他のモードに変更する際に、誤動作を防止し操作員の負担を軽減する。【解決手段】変圧器１１ａ、１１ｂ、１１ｃと、変圧器の一次側および２次側にそれぞれ設けられた複数の機器と、変圧器の変圧比情報を取得する機器制御装置２１ｃ、２３ｃと、機器制御装置から取得した変圧比情報に基づいて変圧比を制御する変圧比制御装置２２ｃと、を有する変電所監視制御システムにおいて、変圧器１１ｃが停止中であり、変圧器１１ａ、１１ｂが並列運転中の場合、変圧比制御装置２２ｃは、変圧比情報に基づいて、変圧器１１ｃの変圧比を変圧器１１ａ、１１ｂの変圧比と一致するまで変圧比合わせ処理を実施する。【選択図】図２
2015149811.tif 000002
【特許請求の範囲】
【請求項１】
３機以上の変圧器を有する系統において、任意の変圧器が他の複数の並列運転中の変圧器の系統と孤立した状態にある場合、前記任意の変圧器を他の複数の並列運転中の変圧器の系統へ加入させる際に、前記３機以上の変圧器から取得した変圧比情報に基づいて、前記任意の変圧器の変圧比を前記他の複数の変圧器の変圧比と一致するまで変圧比合わせ処理を実施することを特徴とする変圧比制御装置。
【請求項２】
前記任意の変圧器が単独運転中の状態であり、前記変圧比合わせ処理を実施する前に、前記任意の変圧器を前記系統から一旦切り離し、前記変圧比合わせ処理を実施した後に、前記任意の変圧器を前記系統と再度接続することを特徴とする請求項１に記載の変圧比制御装置。
【請求項３】
前記任意の変圧器が停止中の状態であり、かつ前記任意の変圧器の二次側にある周囲の機器のうち１機のみが「切」状態にある場合に、該「切」状態の機器を「入」状態とした時に、前記変圧比合わせ処理を実施することを特徴とする請求項１に記載の変圧比制御装置。
【請求項４】
前記任意の変圧器を前記系統から一旦切り離す前に潮流が無いかを確認し、潮流がある場合には前記変圧比合わせ処理を実施しないようにすることを特徴とする請求項２に記載の変圧比制御装置。
【請求項５】
前記任意の変圧器の変圧比合わせ処理を実施している間、該当する変圧器を判別できるようにしたことを特徴とする請求項１乃至３のいずれか１項に記載の変圧比制御装置。
【請求項６】
３機以上の変圧器を有する系統において、各変圧器からそれぞれ電力量の積算値を取得してこれらの値を比較し、前記積算値の少ない変圧器から順番に運用を切り替えるように指令を発することを特徴とする変圧比制御装置。
【請求項７】
３機以上の変圧器と、前記変圧器の一次側および２次側にそれぞれ設けられた複数の機器と、前記変圧器の変圧比情報を取得する機器制御装置と、前記機器制御装置から取得した変圧比情報に基づいて変圧比を制御する変圧比制御装置と、を有する変電所監視制御システムにおいて、
前記３機以上の変圧器のうち、任意の変圧器が他の複数の並列運転中の変圧器の系統と孤立した状態にある場合、前記変圧比制御装置は、前記任意の変圧器を他の複数の並列運転中の変圧器の系統へ加入させる際に、前記機器制御装置から取得した変圧比情報に基づいて、前記任意の変圧器の変圧比を前記他の複数の変圧器の変圧比と一致するまで変圧比合わせ処理を実施することを特徴とする変電所監視制御システム。
【発明の詳細な説明】
【技術分野】
【０００１】
本発明の実施形態は、複数の変圧器が存在する電気所において、変圧器の運転状態を他のモードに変更する際に、誤動作を防止し操作員の負担を軽減し得る変圧比制御装置および該変圧比制御装置を用いた変電所監視制御システムに関する。
【背景技術】
【０００２】
複数の変圧器が存在する従来の電気所において、変圧器の運転状態を単独モードから並列モードへ移行させるには、人間系（現場操作員）によって各変圧器の主従関係を判定し、手動にて変圧比を何度も調整して最終的に所望の値に合わせ込む手法が主流となっている。
【０００３】
上述の主従判定および手動操作の際には、電気所の系統状態や潮流、電気量など電気系統を把握する必要があり、必然的に一定以上のスキルと経験を有する操作員に依存する状態となっている。
【先行技術文献】
【特許文献】
【０００４】
【特許文献１】特開２０１２−６０８３７号公報
【発明の概要】
【発明が解決しようとする課題】
【０００５】
上述のように操作員に依存した作業においては、操作が煩雑であり、しかも手動操作による誤操作により変圧比が異なる状態で運用することがあり、この場合は、系統に循環電流が発生し、電力の損失が発生することがあった。
【０００６】
また、各変圧器に潮流量の差が生じ、変圧器の使用頻度が不均等になることから、各変圧器の寿命に差が発生することがあった。
【０００７】
本発明の実施形態は、複数の変圧器が存在する電気所において、変圧器の運転状態を他のモードに変更する際に、誤動作を防止し操作員の負担を軽減し得る変圧比制御装置および該変圧比制御装置を用いた変電所監視制御システムを提供することを目的とする。
【０００８】
また、変圧器の使用頻度をより均一化できる変圧比制御装置を提供することも目的とする。
【課題を解決するための手段】
【０００９】
上述の目的を達成するため、本発明の実施形態に係る変圧比制御装置は、３機以上の変圧器を有する系統において、任意の変圧器が他の複数の並列運転中の変圧器の系統と孤立した状態にある場合、前記任意の変圧器を他の複数の並列運転中の変圧器の系統へ加入させる際に、前記３機以上の変圧器から取得した変圧比情報に基づいて、前記任意の変圧器の変圧比を前記他の複数の変圧器の変圧比と一致するまで変圧比合わせ処理を実施することを特徴とする。
【００１０】
また、前記変圧比制御装置を用いた変電所監視制御システムも本発明の実施形態の一つである。
【図面の簡単な説明】
【００１１】
【図１】本発明の第１〜第５各実施形態に係る変電所監視制御システムの構成を示す概略図である。
【図２】第１の実施形態に係る変電所監視制御システムの状態を示す概略図である。
【図３】第１の実施形態に係る変電所監視制御システムの変圧比合わせ処理手順を示すフローチャートである。
【図４】第２の実施形態に係る変電所監視制御システムの状態を示す概略図である。
【図５】第２の実施形態に係る変電所監視制御システムの変圧比合わせ処理手順を示すフローチャートである。
【図６】第３の実施形態に係る変電所監視制御システムの状態を示す概略図である。
【図７】第３の実施形態に係る変電所監視制御システムの変圧比合わせ処理手順を示すフローチャートである。
【図８】第４の実施形態に係る変電所監視制御システムの状態を示す概略図である。
【図９】第４の実施形態に係る変電所監視制御システムの変圧比合わせ処理手順を示すフローチャートである。
【図１０】第５の実施形態に係る変電所監視制御システムの状態を示す概略図である。
【図１１】第５の実施形態に係る変電所監視制御システムの変圧比合わせ処理手順を示すフローチャートである。
【図１２】第６の実施形態に係る変電所監視制御システムの状態を示す概略図である。
【図１３】第６の実施形態に係る変電所監視制御システムの寿命判断処理手順を示すフローチャートである。
【発明を実施するための形態】
【００１２】
以下、本発明の実施形態について、図面を参照して具体的に説明する。
【００１３】
（全体構成）
図１は、本発明の第１〜第５の各実施形態に係る変電所監視制御システムの構成を示す概略図である。本変電所監視制御システムは、３機の変圧器１１ａ（１号），１１ｂ（２号），１１ｃ（３号）を有している。変圧器（１号）１１ａの一次側は断路器１２ａおよび遮断器１３ａを介して系統に接続され、変圧器（１号）１１ａの二次側は遮断器１４ａ、断路器１５ａおよび断路器１６ａを介して負荷と接続されている。また、変圧器（２号）１１ｂも変圧器（１号）１１ａと同様に、一次側が断路器１２ｂおよび遮断器１３ｂを介して系統に接続され、二次側が遮断器１４ｂ、断路器１５ｂおよび断路器１６ｂを介して負荷と接続されている。さらに、変圧器（３号）１１ｃも変圧器（１号）１１ａと同様に、一次側が断路器１２ｃおよび遮断器１３ｃを介して系統に接続され、二次側が遮断器１４ｃ、断路器１５ｃおよび断路器１６ｃを介して負荷と接続されている。
【００１４】
また、変圧器（１号）１１ａの二次側と変圧器（２号）１１ｂの二次側との間にはブスタイ１７が設けられ、ブスタイ１７の「入」によって変圧器（１号）１１ａと変圧器（２号）１１ｂとの並列運転が可能になっている。同様に、変圧器（２号）１１ｂの二次側と変圧器（３号）１１ｃの二次側との間にはブスタイ１８が設けられ、ブスタイ１８の「入」によって変圧器（２号）１１ｂと変圧器（３号）１１ｃとの並列運転が可能になっている。
【００１５】
さらに、変圧器（１号）１１ａの一次側には断路器１２ａおよび遮断器１３ａの状態を計測し把握するための機器制御装置２１ａが設置され、変圧器（１号）１１ａの二次側には断路器１４ａおよび遮断器１５ａの状態を計測し把握するための機器制御装置２３ａが設置される。さらに、変圧器（１号）１１ａには、機器制御装置２１ａおよび機器制御装置２３ａと接続され、変圧器（１号）１１ａの状態を制御する変圧器制御装置２２ａが設けられている。また、変圧器（２号）１１ｂおよび変圧器（３号）１１ｃも同様に、一次側にはそれぞれ、機器制御装置２１ｂ、２１ｃが設置され、二次側にはそれぞれ機器制御装置２３ｂ、２３ｃが設置される。さらに、変圧器（２号）１１ｂには、機器制御装置２１ｂおよび機器制御装置２３ｂと接続され、変圧器（２号）１１ｂの状態を制御する変圧器制御装置２２ｂが設けられ、変圧器（３号）１１ｃには、機器制御装置２１ｃおよび機器制御装置２３ｃと接続され、変圧器（３号）１１ｃの状態を制御する変圧器制御装置２２ｃが設けられている。
【００１６】
［第１の実施形態］
（１号、２号の変圧器が並列運転中であり、３号の変圧器が停止中の場合）
図２は、第１の実施形態に係る変電所監視制御システムの状態を示す概略図である。なお、図２において、機器制御装置および変圧比制御装置は、変圧器（３号）１１ｃに対応した機器制御装置２１ｃ、変圧比制御装置２２ｃ、機器制御装置２３ｃのみ示し、図１で示した変圧器（１号）１１ａ、変圧器（２号）１１ｂに対応した機器制御装置２１ａ、２１ｂ、変圧比制御装置２２ａ、２２ｂ、機器制御装置２３ａ、２３ｂについては記載を省略する。
【００１７】
本実施形態の変電所監視制御システムでは、変圧器（１号）１１ａの一次側にある断路器１２ａ、遮断器１３ａ、および変圧器（１号）１１ａの二次側にある遮断器１４ａ、断路器１５ａ、断路器１６ａの全てが「入」状態とされ、変圧器（２号）１１ｂの一次側にある断路器１２ｂ、遮断器１３ｂ、および変圧器（２号）１１ｂの二次側にある遮断器１４ｂ、断路器１５ｂ、断路器１６ｂも全て「入」状態とされている。さらに、ブスタイ１７も「入」状態とされているため、変圧器（１号）１１ａと変圧器（２号）１１ｂは系統として繋がった状態であり、共に変圧比８で並列運転の状態にある。これに対して、変圧器（３号）１１ｃの一次側にある断路器１２ｃ、遮断器１３ｃ、および変圧器（３号）１１ｃの二次側にある遮断器１４ｃ、断路器１５ｃ、断路器１６ｃが全て「切」状態とされ、さらにブスタイ１８も「切」状態とされているため、変圧器（３号）１１ｃは停止状態にある。
【００１８】
本実施形態の変電所監視制御システムにおいて、停止中の変圧器（３号）１１ｃを並列運転中の変圧器（１号）１１ａおよび変圧器（２号）１１ｂと共に並列運転へ移行させるには、変圧器（３号）１１ｃの変圧比６を変圧器（１号）１１ａおよび変圧器（２号）１１ｂと同じ変圧比８へ昇圧する必要がある。以下、変圧器（３号）１１ｃの変圧比を変圧器（１号）１１ａおよび変圧器（２号）１１ｂの変圧比に合わせる処理手順について説明する。
【００１９】
（作用）
図３は、第１の実施形態に係る変電所監視制御システムの変圧比合わせ処理手順を示すフローチャートである。
【００２０】
まず、機器制御装置２１ｃおよび機器制御装置２３ｃは、停止中の変圧器（３号）１１ｃの変圧比情報を取得し（ステップＳ１１）、変圧比制御装置２２ｃは、並列運転中の変圧器（１号）１１ａおよび変圧器（２号）１１ｂの変圧比情報を機器制御装置２１ａ、２１ｂ（図１参照）および機器制御装置２３ａ、２３ｂ（図１参照）から取得する（ステップＳ１２）。
【００２１】
次に、停止中の変圧器（３号）１１ｃの自動変圧比合わせ信号が入力されると（ステップＳ１３）、変圧比制御装置２２ｃは、以下の自動変圧比合わせ処理（ステップＳ１４〜１９）を実行する。すなわち、変圧器（３号）１１ｃの変圧比が並列変圧器（変圧器（１号）１１ａおよび変圧器（２号）１１ｂ）と異なるか否かを判定し（ステップＳ１４）、異なる変圧比で変圧比合わせが必要な場合（ステップＳ１４でＹＥＳ）は、処理フロー（ステップＳ１５以下）を実行する。一方、すでに変圧比が同じである場合（ステップＳ１４でＮＯ）は、処理を終了させる。
【００２２】
ステップＳ１５において、変圧比制御装置２２ｃは、対象変圧器である変圧器（３号）１１ｃの変圧比が並列運転中である変圧器（１号）１１ａおよび変圧器（２号）の変圧比より小さいか否かを判定する（ステップＳ１５）。小さい場合（ステップＳ１５でＹＥＳ）は、変圧比の上げ指令を出力し（ステップＳ１６）、大きい場合（ステップＳ１５でＮＯ）は、変圧比の下げ指令を出力する（ステップＳ１７）。
【００２３】
変圧比切換に掛かる一定時間経過した後（ステップＳ１８）、並列運転中である変圧器（１号）１１ａおよび変圧器（２号）１１ｂの変圧比と対象変圧器である変圧器（３号）１１ｃの変圧比が同じ値になったか否かを判定する（ステップＳ１９）。同じ値になった場合（ステップＳ１９でＹＥＳ）は、処理を終了する。一方、異なる場合（ステップＳ１９でＮＯ）は、ステップＳ１５に戻り、繰り返し自動変圧比合わせ処理を実行する。
【００２４】
（効果）
通常、変圧比合わせは人間系による手動操作で行っていたが、本実施形態によれば、変圧比制御装置２２ｃにより変圧比合わせ処理を実施して変圧器（３号）１１ｃの変圧比６を変圧器（１号）１１ａおよび変圧器（２号）１１ｂと同じ変圧比８へ自動で合わせ込むことができる。このため、変圧器の運転状態を単独モードから並列モードに移行させる際に、操作員による誤動作を防止し操作員の負担を軽減することができる。
【００２５】
また、本実施形態によれば、ステップＳ１３における１度の自動変圧比合わせ信号の入力操作により、変圧比が合うまで制御を繰り返すことから、操作性が向上するとともに、誤操作を防止でき、循環電流が発生した状況での運用防止を図ることができる。
【００２６】
さらに、従来は、「電圧」を測定して電圧が変わらないように制御を行っていたが、本実施形態によれば、電圧とは関係なく「変圧比」を用い、変圧比のみを判断して単独から並列への切換えができる。この変圧比は機器そのものから分かるので、高価なデジタルデバイスを使うことがなく、コスト削減かつ故障率の低減に寄与することができる。
【００２７】
［第２の実施形態］
（２機の変圧器が並列運転中であり、他の１機の変圧器が単独運転中の場合）
図４は、本発明の第２の実施形態に係る変電所監視制御システムの状態を示す概略図である。なお、第１の実施形態と同一の構成部分については同一の符号を付して説明を省略する。
【００２８】
本実施形態の変電所監視制御システムでは、変圧器（１号）１１ａおよび変圧器（２号）１１ｂについては第１の実施形態と同じ並列運転中の状態であるが、変圧器（３号）１１ｃの状態が異なっている。
【００２９】
即ち、変圧器（３号）１１ｃの一次側にある断路器１２ｃ、遮断器１３ｃ、および変圧器（３号）１１ｃの二次側にある遮断器１４ｃ、断路器１６ｃが「入」状態とされている。また、断路器１５ｃおよびブスタイ１８は「切」状態とされており、変圧器（３号）１１ｃは変圧比６で単独運転中の状態にある。
【００３０】
本実施形態の変電所監視制御システムにおいて、単独運転中の変圧器（３号）１１ｃを並列運転中の変圧器（１号）１１ａおよび変圧器（２号）１１ｂと共に並列運転へ移行させるには、変圧器（３号）１１ｃの変圧比６を変圧器（１号）１１ａおよび変圧器（２号）１１ｂと同じ変圧比８へ昇圧する必要がある。以下、変圧器（３号）１１ｃの変圧比を変圧器（１号）１１ａおよび変圧器（２号）１１ｂの変圧比に合わせる処理手順について説明する。
【００３１】
(作用)
図５は、第２の実施形態に係る変電所監視制御システムの変圧比合わせ処理手順を示すフローチャートである。
【００３２】
まず、停止中の変圧器（３号）１１ｃの自動変圧比合わせ信号が入力されると（ステップＳ２１）、変圧比制御装置２２ｃにより自動変圧比合わせ処理が開始される。次に、変圧器（３号）１１ｃの機器制御装置２１ｃおよび機器制御装置２３ｃは、変圧器（３号）１１ｃの系統情報を取得し、変圧比制御装置２２ｃは、並列運転中の変圧器（１号）１１ａおよび変圧器（２号）１１ｂの系統情報を機器制御装置２１ａ、２１ｂ（図１参照）および機器制御装置２３ａ、２３ｂ（図１参照）から取得する（ステップＳ２２）。
【００３３】
次に、変圧比制御装置２２ｃは、対象となる変圧器（３号）１１ｃが単独運転状態か否かを判定する（ステップＳ２３）。単独運転状態であった場合（ステップＳ２３でＹＥＳ）は、取得データにより潮流がないか否かを判定し（ステップＳ２４）、潮流がある場合（ステップＳ２４でＮＯ）は運用中の負荷が存在するため、変圧比の自動合わせ処理が実行されないように処理を終了させる。
【００３４】
これに対して、潮流がない場合（ステップＳ２４でＹＥＳ）は、対象となる変圧器を系統から切り離すために、該当遮断器に対して「切」制御指令を出力する（ステップＳ２５）。次に、前記遮断器「切」指令信号により変圧比が切換可能な系統状態になった後、自動変圧比合わせ処理を実行する（ステップＳ２６）。この自動変圧比合わせ処理は、第１の実施形態のステップＳ１４〜１９と同様である。ステップＳ２６の自動変圧比合わせ処理が終了した後、自動変圧比合わせの対象となる変圧器の二次側の断路器１５ｃとブスタイ１８に対して「入」指令を出力し（ステップＳ２７）、変圧器（３号）１１ｃを並列運転に加入させる。
【００３５】
（効果）
本実施形態によれば、第１の実施形態と同様に、変圧器の運転状態を単独モードから並列モードに移行させる際に、操作員による誤動作を防止し操作員の負担を軽減することができる。
【００３６】
また、本実施形態によれば、ステップＳ２４により潮流がある場合には遮断器の制御処理と自動変圧比合わせ処理をスキップして処理を終了させるので、誤って自動変圧比合わせ信号を入力しても不要な制御処理を防止することができる。
【００３７】
［第３の実施形態］
（２機の変圧器が並列運転中であり、他の１機の変圧器が停止中の場合）
図６は、本発明の第３の実施形態に係る変電所監視制御システムの状態を示す概略図である。なお、第１の実施形態と同一の構成部分については同一の符号を付して説明を省略する。
【００３８】
本実施形態の変電所監視制御システムでは、変圧器（１号）１１ａおよび変圧器（２号）１１ｂが並列運転中の状態であり、変圧器（３号）１１ｃが停止中の状態である点は第１の実施形態と同様であるが、変圧器（３号）１１ｃの周囲の機器の状態が異なっている。
【００３９】
即ち、変圧器（３号）１１ｃの一次側にある断路器１２ｃ、遮断器１３ｃ、および変圧器（３号）１１ｃの二次側にある断路器１５ｃ、断路器１６ｃが「入」状態とされている。また、遮断器１４ｃは「切」状態とされているが、ブスタイ１８は「入」状態とされている。このため、変圧器（３号）１１ｃは、停止中の状態にある。以上より、この第３の実施形態に示す状態は、変圧器（３号）１１ｃの２次側遮断器１４ｃを「入」にすると同時に変圧器（３号）１１ｃが系統につながり、変圧器（１号）１１ａおよび変圧器（２号）１１ｂも含めて並列運転に移行してしまう統状態である。
【００４０】
（作用）
図７は、第３の実施形態に係る変電所監視制御システムの変圧比合わせ処理手順を示すフローチャートである。
【００４１】
本実施形態の処理手順は、図３に示す第１の実施形態の処理手順と比較して、ステップＳ１３の代わりにステップＳ３１を用いる点のみが異なっている。
ステップＳ３１では、変圧器（３号）１１ｃの２次側の遮断器１４ｃの「入」指令出力によって、図３のステップＳ１３の自動変圧比合わせ信号を起動させて変圧比制御装置２２ｃの自動変圧比合わせ処理を実施させる。
【００４２】
（効果）
第１の実施形態では、自動変圧比合わせを実施する起動信号として専用の信号入力が必要であったが、本実施形態によれば、この自動変圧比合わせ信号の入力が不要となり、より一層自動化を促進できる。このため、並列運転への移行操作の簡易化、操作性向上および誤操作防止を図ることができる。
【００４３】
［第４の実施形態］
（２機の変圧器が並列運転中であり、他の１機の変圧器が単独運転中の場合）
図８は、本発明の第４の実施形態に係る変電所監視制御システムの状態を示す概略図である。なお、第１の実施形態と同一の構成部分については同一の符号を付して説明を省略する。
【００４４】
本実施形態の変電所監視制御システムでは、変圧器（１号）１１ａおよび変圧器（２号）１１ｂについては第１の実施形態と同じ並列運転の状態であるが、変圧器（３号）１１ｃの周囲の機器の状態が異なっている。
【００４５】
即ち、変圧器（３号）１１ｃの一次側にある断路器１２ｃ、遮断器１３ｃ、および変圧器（３号）１１ｃの二次側にある遮断器１４ｃ、断路器１５ｃ、断路器１６ｃが「入」状態とされている。また、ブスタイ１８は「切」状態とされており、変圧器（３号）１１ｃは変圧比６で単独運転中の状態にある。以上より、この第４の実施形態に示す状態は、ブスタイ１８を「入」にすると同時に変圧器（３号）１１ｃが系統につながり、変圧器（１号）１１ａおよび変圧器（２号）１１ｂも含めて並列運転に移行してしまう状態である。
【００４６】
（作用）
図９は、第４の実施形態に係る変電所監視制御システムの変圧比合わせ処理手順を示すフローチャートである。
【００４７】
本実施形態の処理手順は、図３に示す第１の実施形態の処理手順と比較して、ステップＳ１３の代わりにステップＳ４１を用いる点のみが異なっている。
ステップＳ４１では、単独運転中の変圧器（３号）１１ｃと並列運転中である変圧器（１号）１１ａおよび変圧器（２号）１１ｂとを結ぶブスタイ１８の「入」指令出力によって、図３のステップＳ１３の自動変圧比合わせ信号を起動させて変圧比制御装置２２ｃの自動変圧比合わせ処理を実施させる。
【００４８】
（効果）
第１の実施形態では、自動変圧比合わせを実施する起動信号として専用の信号入力が必要であったが、本実施形態によれば、この自動変圧比合わせ信号の入力が不要となり、より一層自動化を促進できる。このため、並列運転への移行操作の簡易化、操作性向上および誤操作防止を図ることができる。
【００４９】
［第５の実施形態］
（２機の変圧器が並列運転中であり、他の１機の変圧器が停止中の場合）
図１０は、本発明の第５の実施形態に係る変電所監視制御システムの状態を示す概略図である。なお、第１の実施形態と同一の構成部分については同一の符号を付して説明を省略する。
【００５０】
本実施形態の変電所監視制御システムでは、変圧器（１号）１１ａ、変圧器（２号）１１ｂおよび変圧器（３号）１１ｃの全てについて第１の実施形態と同様の状態にある。すなわち、変圧器（１号）１１ａおよび変圧器（２号）１１ｂが並列運転中の状態であり、変圧器（３号）１１ｃが停止中の状態となっている。
【００５１】
（作用）
図１１は、第５の実施形態に係る変電所監視制御システムの変圧比合わせ処理手順を示すフローチャートである。
【００５２】
本実施形態の処理手順は、図３に示す第１の実施形態の処理手順と比較して、ステップＳ１３とステップＳ１４の間にステップＳ５１を追加し、ステップＳ１９の後にステップＳ５２を追加した点が異なっている。
ステップＳ５１では「変圧比合わせ中」の表示を点灯させ、ステップＳ５２では「変圧比合わせ中」の表示を消灯させる。
【００５３】
（効果）
第１の実施形態から第４の実施形態では、自動変圧比合わせ処理中に制御出力および変圧比切り替え中であることが判別できない状態になるが、本実施形態では自動変圧比合わせ処理中であることが視覚的に判別でき、自動変圧比合わせ処理中であることが判断できる。
【００５４】
従って、本実施形態によれば、機能動作の有無の判断を容易にできるとともに、変圧比合わせ制御中に並列運転中の他の変圧比を操作してしまう等の誤操作を防止することができる。
【００５５】
［第６の実施形態］
（寿命診断を行う場合）
本発明の第６の実施形態について、図１２と図１３を使って説明する。
図１２は、第６の実施形態に係る変電所監視制御システムの状態を示す概略図である。
本実施形態では、図２に示す第１の実施形態に係る変電所監視制御システムの構成と比較して、機器制御装置２１ｃおよび機器制御装置２３ｃに代えて、計測装置２５が設けられている。計測装置２５は、各変圧器の潮流値および電圧値を計測する手段である。また、変圧器（１号）１１ａ、変圧器（２号）１１ｂおよび変圧器（３号）１１ｃの周囲の機器は全て「切」状態とされている。
【００５６】
（作用）
図１３は、第６の実施形態に係る変電所監視制御システムの寿命判断処理手順を示すフローチャートである。
【００５７】
まず、計測装置２５は、各変圧器の潮流値および電圧値を計測し（ステップＳ６１）、電力量を積算する（ステップＳ６２）。次に、変圧比制御装置２２ｃは、各変圧器において運用した１号電力量、２号電力量、３号電力量を取得し（ステップＳ６３ａ、Ｓ６３ｂ、Ｓ６３ｃ）、各変圧器において運用した電力量を比較する（ステップＳ６４）。電力量が大きい程、使われている時間が長い変圧器となるため、寿命がそれだけ短くなる。このため、電力量の少ない変圧器から順番に運用すれば、全体の変圧器の寿命の均一化を促すことになる。
【００５８】
次に、変圧比制御装置２２ｃは、各変圧器の運用が少ない順にリストを作成し（ステップＳ６５）、変圧器を流れる全体の電流から並列運転する必要台数を算出し、運用電力量の少ない変圧器を優先的に選択する（ステップＳ６６）。さらに、変圧比制御装置２２ｃは、寿命の均一化を促す適用変圧器の推奨変圧器をモニターに表示させる（ステップＳ６７）。
【００５９】
（効果）
本実施形態によれば、電力量の少ない変圧器へ運用を切替えることにより変圧器の使用頻度をより均一化し、各変圧器の寿命を均一化することができる。
【００６０】
[他の実施形態]
（１）上記の各実施形態では、３機の変圧比制御装置２２ａ、２２ｂ、２２ｃを用いたが（図１参照）、１機に統括した変圧比制御装置を用いることもできる。
【００６１】
（２）上記の各実施形態では、変圧器（３号）１１ｃを対象とし、この変圧器の運転状態を他モードの並列運転に移行させる例を示したが、変圧器（１号）１１ａまたは変圧器（２号）を対象としても良い。即ち、変圧器（１号）１１ａまたは変圧器（２号）のいずれかが停止中や単独運転中である場合に、他モードの並列運転に移行させても良い。
【００６２】
（３）上記の各実施形態では、３機の変圧器の例を示したが、変圧器の個数は３機以上であれば、任意の数とすることができる。
【００６３】
（４）上記の各実施形態における変圧比制御装置２２ｃのデータを上位の制御室のパソコン等に取り込んで、モニターで表示させて監視することもできる。
【００６４】
（５）上記の各実施形態では、変圧器の変圧比を合わせる例を示したが、タップ値を用いて、これを合わせるようにしても良い。
【００６５】
（６）第６の実施形態では、各変圧器の潮流値および電圧値を計測するために計測装置２５を用いたが、第１〜第５の実施形態における機器制御装置２１ｃ、２３ｃを用いても良い。
【００６６】
（７）以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６７】
１１ａ…変圧器（１号）
１１ｂ…変圧器（２号）
１１ｃ…変圧器（３号）
１２ａ、１２ｂ、１２ｃ…断路器（一次側）
１３ａ、１３ｂ、１３ｃ…遮断器（一次側）
１４ａ、１４ｂ、１４ｃ…遮断器（二次側）
１５ａ、１５ｂ、１５ｃ…断路器（二次側）
１６ａ、１６ｂ、１６ｃ…断路器（ブスタイ）
１７…ブスタイ
１８…ブスタイ
２１ａ、２１ｂ、２１ｃ…機器制御装置
２２ａ、２２ｂ、２２ｃ…変圧比制御装置
２３ａ、２３ｂ、２３ｃ…機器制御装置
２５…計測装置
【図１】
2015149811.tif 000003
【図２】
2015149811.tif 000004
【図３】
2015149811.tif 000005
【図４】
2015149811.tif 000006
【図５】
2015149811.tif 000007
【図６】
2015149811.tif 000008
【図７】
2015149811.tif 000009
【図８】
2015149811.tif 000010
【図９】
2015149811.tif 000011
【図１０】
2015149811.tif 000012
【図１１】
2015149811.tif 000013
【図１２】
2015149811.tif 000014
【図１３】
2015149811.tif 000015